(57)【要約】【課題】ピックを固定し、ピックの表面に変更可能な円周溝の加工を行う工具を提供する。【解決手段】ピックを載せる台座部２と、台座部２の上面に載せたピック５の外周近傍を台座部２とで挟む保持部３と、ピック５表面に接触してピック５の円周溝の加工を行うチャック部４とを備えたピック用円周溝加工工具であって、ピック５の厚さに応じて、保持部３の取り付け位置をピックの厚さ方向に変更できる構造を有し、チャック部４をピック５に接触させた状態で、回転させることによって、円周溝の加工を行うピック用円周溝加工工具であって、ピック５の表面の円周溝の直径または数、あるいは、直径および数を変更することができるピック用円周溝加工工具。【選択図】図１
2018027590.tif 000002
【特許請求の範囲】
【請求項１】
略円柱形状を有し上面にピックを載せる台座部と、略円筒形状を有し前記台座部の上方に挿入配置され、前記台座部の上面に載せたピックの外周近傍を前記台座部との間で挟む保持部と、略円柱形状を有し前記保持部の上方に挿入配置され、刃を有する下面側の先端をピック表面に接触させ、回転させてピック表面に円周溝を加工するチャック部とを備えたピック用円周溝加工工具。
【請求項２】
前記台座部は、上面に凹形状の複数のピック固定パッド設置部を備え、前記台座部上面からのピック固定パッド設置部の凹形状の深さはピックの厚さより深い請求項１に記載のピック用円周溝加工工具。
【請求項３】
前記台座部は、上面にピック形状を模した凹形状のピック搭載面を備え、前記台座部上面からのピック搭載面の凹形状の深さはピックの厚さより浅い請求項１に記載のピック用円周溝加工工具。
【請求項４】
前記保持部は、下部に前記台座部の上面の外形より大きな内径を持つ円筒形状と、前記円筒形状の内面下方に前記保持部およびピックを前記台座部に固定するための複数の保持突起と、前記円筒形状の上部にピックの外周近傍を押さえ、ピック表面に加工する円周溝の最大直径より大きな円孔を有する面とを備えた請求項１に記載のピック用円周溝加工工具。
【請求項５】
前記台座部は、側面に前記保持突起が通過する凹形状の複数の突起通路溝と、前記保持部を回転させて前記保持突起の上面に、下面が当接する複数の張り出し部と、前記保持部の取り付け位置をピックの厚さに応じ、上下方向に変更し、前記保持突起の上面に当接する前記張り出し部の下面に複数の段差とを備える請求項１に記載のピック用円周溝加工工具。
【請求項６】
前記チャック部は、下面側の先端に交換可能な円周溝加工用の刃を備え、円周溝加工用の刃の取り付け位置の変更、あるいは溝加工用の刃を交換、または数量を変更することにより、円周溝の直径および数量、あるいは直径、または数量を変更することができる請求項１記載のピック用円周溝加工工具。
【発明の詳細な説明】
【技術分野】
【０００１】
本発明は、ピックの表面に円周溝を加工するピック用円周溝加工工具に関する。
【背景技術】
【０００２】
一般にピックは樹脂・べっ甲・木材・金属といった、弦に対して滑りやすい材質で製造されている。しかしながら、使用過程によりピックに発生した傷が弦に引っかかる場合や、演奏者の汗などによりピックが滑り、演奏の正確性が損なわれるという課題があった。
この課題を解決するため従来から、ピックの滑り止めに係る技術については、例えば、特許文献１に、少なくとも一側面に印刷粗面が設けられ、その印刷粗面には粗面形成粒子が含まれるピックが開示されている。
また、特許文献２に、少し丸みをおびた三角形のピックの表面に、その形状に沿う形ですべり止め用の溝を３カ所に設ける滑り止めつきピックが開示されている。
【先行技術文献】
【特許文献】
【０００３】
【特許文献１】特開平７−２０８５４号公報
【特許文献２】実開平５−４７９９３号公報
【発明の概要】
【発明が解決しようとする課題】
【０００４】
しかしながら、製造時に異種材料を付加もしくはピック形状に沿う形で溝を設けたピックは、滑り止めの大きさ、および厚さ、あるいは深さの変更ができないため、演奏者の滑り止めの大きさ、および厚さ、あるいは深さに起因する演奏時の触感についての要望を満たさない場合があった。
特許文献１に示すような滑り止めとして異種材料を付加する場合は、異種材料によってピックの厚さとしなりが変わり、演奏の正確性が損なわれることがあった。また、異種材料が剥離した場合は、滑り止めの機能が失われることがあった。
特許文献２に示すような滑り止めとしてピック形状に沿う形で溝を設ける場合は、ピックのしなりが変わり演奏の正確性が損なわれることがあった。さらに、ピック外周近傍に溝が形成されるため、演奏に使用するピック外周近傍、すなわちピック先端の強度が低下し、耐久性が低下する課題があった。あるいは、演奏時に溝が弦と接触する可能性があり、演奏の妨げになることがあった。
本発明は以上のような問題を解決しようとなされたものであり、目的とするところは、ピックの厚さおよびしなりを変化させることなく、滑り止めの加工が剥離することなく、ピックの外周近傍に溝を加工することによって、ピックの強度低下がなく、演奏時に溝が弦に接触することがない円周溝をピック表面の中心近傍に加工し、演奏者の要望に見合った直径および数量が変更可能な円周溝を加工できるピック用円周溝加工工具を提供しようとするものである。
【課題を解決するための手段】
【０００５】
請求項１に記載の発明にあっては、略円柱形状を有し上面にピックを載せる台座部と、略円筒形状を有し前記台座部の上方に挿入配置され、前記台座部の上面に載せたピックの外周近傍を前記台座部との間で挟む保持部と、略円柱形状を有し前記保持部の上方に挿入配置され、刃を有する下面側の先端をピック表面に接触させ、回転させてピック表面に円周溝を加工するチャック部とを備えたピック用円周溝加工工具。
【０００６】
請求項２に記載の発明にあっては、前記台座部は、上面に凹形状の複数のピック固定パッド設置部を備え、前記台座部上面からのピック固定パッド設置部の凹形状の深さはピックの厚さより深い請求項１に記載のピック用円周溝加工工具。
【０００７】
請求項３に記載の発明にあっては、前記台座部は、上面にピック形状を模した凹形状のピック搭載面を備え、前記台座部上面からのピック搭載面の凹形状の深さはピックの厚さより浅い請求項１に記載のピック用円周溝加工工具。
【０００８】
請求項４に記載の発明にあっては、前記保持部は、下部に前記台座部の上面の外形より大きな内径を持つ円筒形状と、前記円筒形状の内面下方に前記保持部およびピックを前記台座部に固定するための複数の保持突起と、前記円筒形状の上部にピックの外周近傍を押さえ、ピック表面に加工する円周溝の最大直径より大きな円孔を有する面とを備えた請求項１に記載のピック用円周溝加工工具。
【０００９】
請求項５に記載の発明にあっては、前記台座部は、側面に前記保持突起が通過する凹形状の複数の突起通路溝と、前記保持部を回転させて前記保持突起の上面に、下面が当接する複数の張り出し部と、前記保持部の取り付け位置をピックの厚さに応じ、上下方向に変更し、前記保持突起の上面に当接する前記張り出し部の下面に複数の段差とを備える請求項１に記載のピック用円周溝加工工具。
【００１０】
請求項６に記載の発明にあっては、前記チャック部は、下面側の先端に交換可能な円周溝加工用の刃を備え、円周溝加工用の刃の取り付け位置の変更、あるいは溝加工用の刃を交換、または数量を変更することにより、円周溝の直径および数量、あるいは直径、または数量を変更することができる請求項１記載のピック用円周溝加工工具。
【発明の効果】
【００１１】
本発明によれば、ピック用円周溝加工工具の台座部と保持部の間でピックを固定し、チャック部下面側の先端に備えられた刃をピックに接触させて回転させることにより、ピックの表面の中心近傍に円周溝を加工することができる。また、台座部は、保持部の取り付け高さを変更できる構造を有し、ピックの厚さによらず、ピックの表面に円周溝を加工することができる。さらに、チャック部下面側の先端に備えられた刃の取り付け位置を変更することによりピックの表面に加工する円周溝の最大直径および数を変更することができる。または異なる形状の刃との交換により、ピックの表面に加工する円周溝の最大直径または数を変更することができる。あるいは刃の数量の変更により、ピックの表面に加工する円周溝の最大直径および数を変更することができる。
【図面の簡単な説明】
【００１２】
【図１】ピック用円周溝加工工具の構成を示した一部切り欠き斜視図である。
【図２】ピック用円周溝加工工具を用いて表面に円周溝を加工を施したピックの斜視図である。
【図３】台座部を斜め上方から見た斜視図である。
【図４】保持部を台座部に固定する構成を示した一部切り欠き斜視図である。
【図５】台座部を下方から見た斜視図である。
【図６】保持部にチャック部を挿入する構成を示した上方からの一部切り欠き斜視図である。
【図７】保持部にチャック部を挿入する構成を示した下方からの斜視図である。
【図８】チャック部の先端部近傍の斜視断面図である。
【図９】チャック部の円周溝の最大直径および数を変更するための刃の取り付け位置の例を示す斜視図である。
【図１０】実施の形態２のチャック部の斜視図である。
【図１１】実施の形態２のチャック部の構成を示した一部切り欠き斜視図である。
【図１２】実施の形態２のチャック部の先端部近傍のみを示した斜視図である。
【発明を実施するための形態】
【００１３】
以下、本発明の実施の形態を図１〜図１２に基づいて説明する。
【００１４】
「実施の形態１」
本発明の実施の形態１のピック用円周溝加工工具について、以下に説明する。
【００１５】
図１に示すように、ピック用円周溝加工工具１は、台座部２の上面にピック５を載せ、ピック５を台座部２と保持部３で挟み、保持部３の内面の保持突起３ａおよび図４に示す３ｂ，３ｃで台座部２に固定し、チャック部４を保持部３に挿入する構成である。
【００１６】
図２に示すようにピック用円周溝加工工具１は、ピック５表面に、例えば図示するような複数の円周溝５ａを加工することができる。
【００１７】
図３に示すように台座部２は、例えばシリコーン製スポンジといった弾性体のピック固定パッド６ａ，６ｂ，６ｃを設置するための凹形状のピック固定パッド設置部２ａ，２ｂ，２ｃと、ピック５の形状を模したピック５の搭載位置目安の凹形状のピック搭載面２ｄとを備える。
ピック固定パッド６ａ，６ｂ，６ｃは、ピック５の下面の外周近傍を保持し、ピック５を加工する時に固定することができる。
ピック搭載面２ｄは、使用者が例えばピック５の中心近傍に円周溝５ａを加工する場合に、搭載位置が明確になり加工位置を容易に決定することができる。
【００１８】
図４に示すように保持部３の内面は、例えば３箇所の保持突起３ａ，３ｂ，３ｃを備え、保持突起３ａ，３ｂ，３ｃを台座部２の例えば３箇所の突起通路溝２ｅ，２ｆ，２ｇを通過させ、台座部２と保持部３でピック５を挟む。さらに、台座部２または保持部３を回転させることにより、保持突起３ａ，３ｂ，３ｃが、それぞれ台座部２の例えば３箇所の張り出し部２ｈ，２ｉ，２ｊに当接し、ピック５および、保持部３を台座部２に固定させることができる。
【００１９】
図５に示すように台座部２の張り出し部２ｈは、例えば３段階の段差２ｋ，２ｍ，２ｎを備え、例えば保持突起３ａが段差２ｋ，２ｍ，２ｎのいずれかに当接することより、ピック５の厚さが異なる場合でもピック５および、保持部３を台座部２に固定することができる。
図示しない張り出し部２ｉ，２ｊは張り出し部２ｈの段差２ｋ，２ｍ，２ｎと同様の段差を備える。
【００２０】
図６および図７に示すように、保持部３のピック５との接触面のピック５表面に加工する円周溝５ａの最大直径より大きな円孔３ｄに、チャック部４の先端部４ａをピック５に接触するよう挿入する。
挿入後、チャック部４を、例えば手動で回転させることにより、ピック５の表面に円周溝５ａを加工することができる。あるいは、モーターや、ぜんまいといった動力を用いて、回転させることができる。
【００２１】
図８に示すように、チャック部４は、下面側の先端部４ａにのこぎり状の細かい先端刃のついた溝加工用の刃７と、刃７を保持する差し入れ口４ｂと、刃７を固定するネジ８と、ネジ８と嵌合する雌ネジ部４ｃとを備える。
刃７をのこぎり状の細かい先端刃がチャック部４の下方に位置する向きで差し入れ口４ｂに挿入し、ネジ８と反対側に位置する差し入れ口４ｂの側面とネジ８の先端で溝加工用の刃７を挟み、溝加工用の刃７を固定する。
【００２２】
図９に示すように、刃７は差し入れ口４ｂに沿って図の矢印方向に取り付け位置を変更することができ、刃７を差し入れ口４ｂの中心から離れた部位に固定することにより、最大直径の大きな円周溝５ａを加工することができる。
あるいは、図７に示すように、刃７を差し入れ口４ｂの中心近傍に固定することにより、最大直径の小さな円周溝５ａを加工することができる。
【００２３】
他に、円周溝５ａの直径および数を変更する手段として、図示しないが、のこぎり状の細かい先端刃の間隔が刃７と同じで全長が異なる刃７ａ、または、のこぎり状の細かい先端刃の間隔が刃７と異なり全長が同じ刃７ｂ、または、のこぎり状の細かい先端刃の間隔および全長が刃７と異なる刃７ｃと交換してもよい。
刃７ａを使用すると、先端刃の間隔が刃７と同じで全長が異なるため、円周溝５ａの最大直径を変更するという作用がある。例えば、刃７と刃７ａの取り付け位置が、差し入れ口４ｂの中心近傍でほぼ同一であって、刃７ａの全長が刃７より長い場合、最大直径の大きな円周溝５ａを加工することができ、刃７ａの全長が刃７より短い場合、最大直径の小さな円周溝５ａを加工することができる。
刃７ｂを使用すると、先端刃の間隔が刃７と異なり全長が同じであるため、円周溝５ａの溝の数量を変更するという作用がある。例えば、刃７と刃７ｂの取り付け位置が差し入れ口４ｂの中心近傍でほぼ同一であって、刃７ｂの先端刃の間隔が刃７より広い場合、溝の数が少ない円周溝５ａを加工することができ、刃７ｂの先端刃の間隔が刃７より狭い場合、溝の数が多い円周溝５ａを加工することができる。
刃７ｃを使用すると、先端刃の間隔および全長が異なるため、円周溝５ａの最大直径および数量を変更するという作用がある。例えば、刃７と刃７ｃの取り付け位置が差し入れ口４ｂの中心近傍でほぼ同一であって、刃７ｃの全長が刃７より長く刃７ｃの先端刃の間隔が刃７より狭い場合、最大直径が大きく、溝の数が多い円周溝５ａを加工することができ、刃７ｃの全長が刃７より短く刃７ｃの先端刃の間隔が刃７より広い場合、最大直径が小さく、溝の数が少ない円周溝５ａを加工することができる。
【００２４】
「実施の形態２」
次に、本発明の実施の形態２のピック用円周溝加工工具について、以下に説明する。
【００２５】
本発明の実施の形態２のピック用円周溝加工工具は、本発明の実施の形態１のピック用円周溝加工工具と相違する点は、チャック部４の構造の相違だけである。
したがって、図１０，図１１，図１２に基づいて、相違点のみ以下に説明する。
【００２６】
図１０および図１１，図１２に示すように、先端部４ａは複数の溝加工用の刃９と、刃９を保持する複数の差し入れ口４ｂと、刃９を固定する押さえ板１０と、押さえ板１０を固定するネジ８と、ネジ８と嵌合する雌ネジ部４ｃとを備える。
差し入れ口４ｂに刃９の先端がチャック部４の下方に位置する方向に挿入し、刃９の後端を押さえ板１０で押さえ、ネジ８を雌ネジ部４ｃに締結し、刃９および押さえ板１０をチャック部４に固定する。
刃９は、例えば、折る刃式カッターナイフの刃の一片といった同一形状の刃であり、刃９の取り付け位置および取り付け数量を変更することにより、円周溝５ａの溝の直径および数を変更するという作用がある。
図１０，図１１，図１２では、例えば１５個の差し入れ口４ａを備え、図示しないが、先端部４ａの中心からの距離が短い順番に差し入れ口４ｂ１，４ｂ２，・・・，４ｂ１５とすると、一個の刃９を４ｂ１のみに取り付けると、小さな直径で溝が１本の円周溝５ａを加工することができ、あるいは一個の刃９を４ｂ１５のみに取り付けると、大きな直径で溝が１本の円周溝５ａを加工することができる。
【産業上の利用可能性】
【００２７】
本発明はピックの表面の加工工具として有用であり、演奏者の要望を満たす加工工具として広く利用することができる。
【符号の説明】
【００２８】
１    ピック用円周溝加工工具
２    台座部
２ａ，２ｂ，２ｃ    ピック固定パッド設置部
２ｄ    ピック搭載面
２ｅ，２ｆ，２ｇ    突起通路溝
２ｈ，２ｉ，２ｊ    張り出し部
２ｋ，２ｍ，２ｎ    段差
３    保持部
３ａ，３ｂ，３ｃ    保持突起
３ｄ    円孔
４    チャック部
４ａ  先端部
４ｂ  差し入れ口
４ｃ  雌ネジ部
５    ピック
５ａ  円周溝
６ａ，６ｂ，６ｃ    ピック固定パッド
７    刃
７ａ  刃
７ｂ  刃
７ｃ  刃
８    ネジ
９    刃
１０  押さえ板
【図１】
2018027590.tif 000003
【図２】
2018027590.tif 000004
【図３】
2018027590.tif 000005
【図４】
2018027590.tif 000006
【図５】
2018027590.tif 000007
【図６】
2018027590.tif 000008
【図７】
2018027590.tif 000009
【図８】
2018027590.tif 000010
【図９】
2018027590.tif 000011
【図１０】
2018027590.tif 000012
【図１１】
2018027590.tif 000013
【図１２】
2018027590.tif 000014